(57)【要約】  マルチメディアブロードキャストサービスのための方法およびユーザ装置（１１０）並びに方法および無線ネットワークノード（１２０）が開示される。無線ネットワークノード（１２０）は、キャリアの物理ダウンリンク制御チャネルで、マルチキャストネットワーク識別子を使用したダウンリンク制御情報を送信する。ダウンリンク制御情報は、少なくとも２つの緊急通知がキャリアでブロードキャストされているか否かを示すビットと、キャリアのマルチキャストチャネルの変更に関連する通知と、を含む。ユーザ装置（１１０）は、キャリアの物理ダウンリンク制御チャネルで、マルチキャストネットワーク識別子を使用したダウンリンク制御情報を受信する。ユーザ装置（１１０）は、ビットが１に設定されている場合、ユーザ装置（１１０）のページングメッセージで、少なくとも２つの緊急通知のインジケーションに関連する少なくとも２つのフィールドが１に設定されているかのように振舞う。対応するコンピュータプログラム（４０３、６０３）およびコンピュータプログラムキャリア（４０５、６０５）も開示されている。【選択図】図２
2020509638.tif 000002
【特許請求の範囲】
【請求項１】
ユーザ装置（１１０）によって実行される方法であって、該ユーザ装置（１１０）は、マルチメディアブロードキャストマルチキャストサービス用に構成されたキャリア上で動作し、前記方法は、
前記キャリアの物理ダウンリンク制御チャネルで、マルチキャストネットワーク識別子を使用したダウンリンク制御情報を受信すること（Ａ０２０）であって、該ダウンリンク制御情報は、少なくとも２つの緊急通知が前記キャリアでブロードキャストされているか否かを示すビットと、前記キャリアのマルチキャストチャネルの変更に関連する通知と、を含む、前記受信すること（Ａ０２０）と、
前記ビットが１に設定されている場合、前記ユーザ装置（１１０）のページングメッセージで、前記少なくとも２つの緊急通知のインジケーションに関連する少なくとも２つのフィールドが１に設定されているかのように振舞うこと（Ａ０３０）と、
を含む方法。
【請求項２】
前記少なくとも２つの緊急通知は、地震津波警報システム（ＥＴＷＳ）通知および商用モバイル警告システム（ＣＭＡＳ）通知を含む
請求項１に記載の方法。
【請求項３】
前記ビットは、前記ダウンリンク制御情報の第２ビットであるが最下位ビットである
請求項１または２に記載の方法。
【請求項４】
前記振舞うこと（Ａ０３０）は、前記少なくとも２つの緊急通知を前記キャリア内で検索することを含む
請求項１乃至３の何れか１項に記載の方法。
【請求項５】
無線ネットワークノード（１２０）によって実行される方法であって、該無線ネットワークノード（１２０）は、マルチメディアブロードキャストマルチキャストサービス用に構成されたキャリアを管理し、前記方法は、
前記キャリアの物理ダウンリンク制御チャネルで、マルチキャストネットワーク識別子を使用したダウンリンク制御情報を送信すること（Ａ０１０）であって、該ダウンリンク制御情報は、少なくとも２つの緊急通知が前記キャリアでブロードキャストされているか否かを示すビットと、前記キャリアのマルチキャストチャネルの変更に関連する通知と、を含む、前記送信すること（Ａ０１０）
を含む方法。
【請求項６】
前記少なくとも２つの緊急通知は、地震津波警報システム（ＥＴＷＳ）通知および商用モバイル警告システム（ＣＭＡＳ）通知を含む
請求項５に記載の方法。
【請求項７】
前記ビットは、前記ダウンリンク制御情報の第２ビットであるが最下位ビットである
請求項５または６に記載の方法。
【請求項８】
ユーザ装置（１１０）はマルチメディアブロードキャストマルチキャストサービス用に構成されたキャリアで動作するように構成され、該ユーザ装置（１１０）は、
前記キャリアの物理ダウンリンク制御チャネルで、マルチキャストネットワーク識別子を使用したダウンリンク制御情報を受信し、該ダウンリンク制御情報は、少なくとも２つの緊急通知が前記キャリアでブロードキャストされているか否かを示すビットと、前記キャリアのマルチキャストチャネルの変更に関連する通知と、を含み、
前記ビットが１に設定されている場合、前記ユーザ装置（１１０）のページングメッセージで、前記少なくとも２つの緊急通知のインジケーションに関連する少なくとも２つのフィールドが１に設定されているかのように振舞う、
ように構成されるユーザ装置（１１０）。
【請求項９】
前記少なくとも２つの緊急通知は、地震津波警報システム（ＥＴＷＳ）通知および商用モバイル警告システム（ＣＭＡＳ）通知を含む
請求項８に記載のユーザ装置（１１０）。
【請求項１０】
前記ビットは、前記ダウンリンク制御情報の第２ビットであるが最下位ビットである
請求項８または９に記載のユーザ装置（１１０）。
【請求項１１】
前記ユーザ装置（１１０）は、前記少なくとも２つの緊急通知を前記キャリアで検索することにより、前記少なくとも２つの緊急通知のインジケーションに関連する少なくとも２つのフィールドが前記ページングメッセージにおいて１に設定されているかのように振舞うように構成される
請求項８乃至１０の何れか１項に記載のユーザ装置（１１０）。
【請求項１２】
無線ネットワークノード（１２０）はマルチメディアブロードキャストマルチキャストサービス用に構成されたキャリアを管理するように構成され、該無線ネットワークノード（１２０）は、
前記キャリアの物理ダウンリンク制御チャネルで、マルチキャストネットワーク識別子を使用したダウンリンク制御情報を送信し、該ダウンリンク制御情報は、少なくとも２つの緊急通知が前記キャリアでブロードキャストされているか否かを示すビットと、前記キャリアのマルチキャストチャネルの変更に関連する通知と、を含む
ように構成される無線ネットワークノード（１２０）。
【請求項１３】
前記少なくとも２つの緊急通知は、地震津波警報システム（ＥＴＷＳ）通知および商用モバイル警告システム（ＣＭＡＳ）通知を含む
請求項１２に記載の無線ネットワークノード（１２０）。
【請求項１４】
前記ビットは、前記ダウンリンク制御情報の第２ビットであるが最下位ビットである
請求項１２または１３に記載の無線ネットワークノード（１２０）。
【請求項１５】
ユーザ装置（１１０）で実行されたとき、該ユーザ装置（１１０）に請求項１乃至４の何れか１項に記載の方法を実行させるコンピュータ可読コードユニットを含むコンピュータプログラム（４０３）。
【請求項１６】
請求項１５に記載のコンピュータプログラム（４０３）を含むキャリア（４０５）であって、該キャリア（４０５）は、電気信号、光信号、無線信号、およびコンピュータ可読媒体のうちの１つである、キャリア（４０５）。
【請求項１７】
無線ネットワークノード（１２０）で実行されたとき、該無線ネットワークノード（１２０）に請求項５乃至７の何れか１項に記載の方法を実行させるコンピュータ可読コードユニットを含むコンピュータプログラム（６０３）。
【請求項１８】
請求項１７に記載のコンピュータプログラム（６０３）を含むキャリア（６０５）であって、該キャリア（６０５）は、電気信号、光信号、無線信号、およびコンピュータ可読媒体のうちの１つである、キャリア（６０５）。
【発明の詳細な説明】
【技術分野】
【０００１】
本明細書の実施形態は、電気通信システム、セルラーシステムなどの無線通信システムに関する。特に、マルチメディアブロードキャストサービスのための方法およびユーザ装置、ならびに、マルチメディアブロードキャストサービスのための方法および無線ネットワークノードが開示される。対応するコンピュータープログラムおよびコンピュータープログラムキャリアも開示されている。
【背景技術】
【０００２】
マルチメディアブロードキャストマルチキャストサービス（ＭＢＭＳ）運用を強化する新しい作業アイテムが、ＲＡＮプレナリー（ＲＰ）−１６０６７５の無線アクセスネットワーク＃７１（ＲＡＮ＃７１）で承認され、ＲＰ−１６１２９７のＲＡＮ＃７２でさらに改訂され、次のようになった：
「作業アイテムの目的は、ロングタームエボリューション（ＬＴＥ）の以下の拡張ＭＢＭＳ（ｅＭＢＭＳ）の拡張を評価および指定することである：
ａ．  大規模な単一周波数ネットワーク（ＳＦＮ）の遅延拡散環境（例えば、１５ｋｍ以上のサイト間距離）のユニキャスト／ｅＭＢＭＳ混合キャリアで使用するために、より長いサイクリックプレフィックス（たとえば３３．３３μｓ以上）を使用する手段を指定し、少なくとも２ｂｐｓ／Ｈｚのスペクトル効率を達成しながら、同じキャリアにおけるレガシーおよび新規のプレフィックスの共存を保証する。この目標には評価が含まれる。（無線アクセスネットワーク−ＲＡＮ、ＲＡＮ１、ＲＡＮ４）
ｂ．  マルチキャストブロードキャスト単一周波数ネットワーク（ＭＢＳＦＮ）のサブフレーム０、４、５、９（フレーム構造タイプ１−ＦＳ１）および０、１、５、６（フレーム構造タイプ２−ＦＳ２）を使用する手段を指定する。（ＲＡＮ２、ＲＡＮ１）
・  ユニキャスト用の非ＭＢＳＦＮサブフレームは、セカンダリセル（Ｓｃｅｌｌ）としてのみ使用できる。
ｃ．  ユニキャスト制御領域およびセル固有の参照信号なしでＭＢＳＦＮサブフレームを構成する手段を指定する。（ＲＡＮ１、ＲＡＮ２）
注：接続モードとアイドルモードの両方で、ＭＢＭＳ（ｆｅＭＢＭＳ）動作がさらに強化されている。
以下を検討する：
ｄ．  ＭＢＳＦＮ送信専用のすべてのＤＬサブフレームと、システム情報ブロック（ＳＩＢ）１３、ＳＩＢ１５、ＳＩＢ１６の情報を含む自己完結型ｅＭＢＭＳシグナリングを備えたスタンドアロンキャリアのサポート。（ＲＡＮ２）
ｅ．  ユニキャストに同時に使用される１つまたは複数のセルと一緒に配置されず非同期の１つまたは複数のｅＭＢＭＳセルからの受信を含むマルチキャリアｅＭＢＭＳ／ユニキャスト動作のサポート。（ＲＡＮ４、ＲＡＮ２）
ｆ．  ユーザ装置（ＵＥ）が認証なしでテレビ（ＴＶ）伝送サービスを受信できる解決策。（ＲＡＮ１、ＲＡＮ２、ＲＡＮ３）
ｅＭＢＭＳの新規のサイクリックプレフィックス（ＣＰ）の長さ（定義されている場合）に必要なユーザ装置無線周波数（ＵＥ  ＲＦ）および基地局（ＢＳ）ＲＦのコア要件を指定する。（ＲＡＮ４）
この作業アイテム（ＷＩ）では、ＦＳ２の新しい時分割多重（ＴＤＤ）ダウンリンク／アップリンク（ＤＬ／ＵＬ）構成は考慮されない。
この作業では、対応するシステムアーキテクチャワークグループ（ＳＡ２）作業の結果を考慮する。」
【０００３】
ｅＭＢＭＳの作業は、以前のＲＡＮ１＃８４ｂｉｓ会議で開始され、作業アイテム説明（ＷＩＤ）の目的ｂ）およびｃ）に関する次の明確化が完了した：
−  目的ｂとｃは、レガシーＵＥをキャリアでスケジュールできないことを意味する。
【０００４】
サブフレーム０、４、５、９（ＦＳ１）および０、１、５、６（ＦＳ２）が現在ＭＢＳＦＮ送信に使用できない理由は、これらは、サブフレーム０および５（ＦＳ１、ＦＳ２）上でプライマリ同期信号（ＰＳＳ）／セカンダリ同期信号（ＳＳＳ）／物理ブロードキャストチャネル（ＰＢＣＨ）、および、最も密なページング構成のサブフレーム０、４、５、９（ＦＳ１）および０，１，５，６（ＦＳ２）上でページングチャネルを搬送するからである。ＭＢＭＳ割り当ては全帯域幅（つまり、全ての物理リソースブロック（ＰＲＢ）が割り当てられる）であるため、ＰＳＳ／ＳＳＳ／ＰＢＣＨおよびページングメッセージは物理マルチキャストチャネル（ＰＭＣＨ）と周波数多重化できない。サブフレーム０および５のＰＳＳ／ＳＳＳおよびセル固有参照信号（ＣＲＳ）は、セル検索および時間と周波数の追跡に使用される。
【０００５】
第３世代パートナーシッププロジェクト（３ＧＰＰ）技術仕様（ＴＳ）３６．３０４  ｖ１３．２．０で指定されているように、周波数分割多重（ＦＤＤ）のＵＥは、監視する必要があるページング機会を計算している。たとえば、３ＭＨｚより広いシステム帯域幅で、物理ダウンリンク制御チャネル（ＰＤＣＣＨ）または狭帯域物理ダウンリンク制御チャネル（ＮＰＤＣＣＨ）上で、またはマシンタイプ通信（ＭＴＣ）物理ダウンリンク制御チャネル（ＭＰＤＣＣＨ）上で、ページング無線ネットワーク一時識別子（Ｐ−ＲＮＴＩ）が送信される場合、次の表を使用する：
【０００６】
【表１】
2020509638.tif 000003
【０００７】
ｎＢ（時間値）パラメータは、ネットワークで構成可能であり、（radioResouceConfigCommonＩＥの一部であるpcch-Config情報要素（ＩＥ）の一部として）ＳＩＢ２でシグナリングされる。ｎＢ≦Ｔで構成することにより、ＵＥに構成されたＵＥ＿ＩＤまたはＤＲＸサイクル長を考慮する必要なく、ＰＯ発生をサブフレーム＃９のみに制限できることに注意されたい。
【０００８】
進化型ユニバーサル地上アクセスネットワーク（Ｅ−ＵＴＲＡＮ）ページングメッセージは、３ＧＰＰ  ＴＳ  ３６．３３１  ｖ１３．２．０で定義されている。これは、メッセージとともにページングされている１つまたは複数のＵＥに関する情報（ＵＥアイデンティティ）と、多数またはすべてのＵＥに宛てられたその他の情報の両方を含んでいる。ページングは次のために使用される：
−  無線リソース制御アイドルモード（ＲＲＣ＿ＩＤＬＥ）でのページング情報のＵＥへの送信、および／または、
−  ＲＲＣ＿ＩＤＬＥのＵＥおよび無線リソース制御接続モード（ＲＲＣ＿ＣＯＮＮＥＣＴＥＤ）のＵＥへの、システム情報の変更の通知、および／または、
−  地震津波警報システム（ＥＴＷＳ）一次通知および／またはＥＴＷＳ二次通知についての通知、および／または、
−  商用モバイル警告システム（ＣＭＡＳ）通知についての通知、および／または、
−  ＲＲＣ＿ＩＤＬＥのＵＥへの、拡張アクセス封鎖（ＥＡＢ）パラメータの変更についての通知、および／または、
−  ＲＲＣ＿ＩＤＬＥのＵＥへのＥ−ＵＴＲＡＮ周波数間再配布手順を実行するように通知。
【０００９】
ＭＴＣの作業では、ダイレクトインジケーション情報が３ＧＰＰ  ＴＳ  ４６．３３１で定義され、３ＧＰＰ  ＴＳ  ３６．２１２で定義されたダウンリンク制御情報（ＤＣＩ）フォーマット６−２によってＵＥに伝達される。
【００１０】
３ＧＰＰ  ＴＳ  ３６．３３１  ｖ１３．２．０の表６．６−１は、ダイレクトインジケーション情報を定義している。ビットｎが１に設定されている場合、３ＧＰＰ  ＴＳ  ３６．３３１  ｖ１３．２．０の５．３．２．３節で説明されているように、ＵＥは、ページングメッセージにおいて対応するフィールドが設定されているかのように振舞うことになる。ビット１は最下位ビットである。
【００１１】
【表２】
2020509638.tif 000004
【００１２】
さらに、ｅＭＢＭＳサービスを受信するＵＥは、マルチキャスト制御チャネル（ＭＣＣＨ）で指定されたｅＭＢＭＳ固有のシステム情報に従う必要がある。ＭＣＣＨの変更通知は、各ビットが１つのＭＢＳＦＮエリアに対応する８ビットのビットマップとしてＤＣＩ  １Ｃで提供される。ＵＥは、システム情報ブロックタイプ１３に含まれるMBSFN-AreaInfoList情報要素でＭＢＳＦＮエリア情報を受信し、ここで、パラメータnotificationIndicatorは、ビットマップ内のどのビット位置がこのＭＢＳＦＮエリアに対応するかを示す。
【００１３】
MBSFN-AreaInfoList情報要素
-- ASN1START
MBSFN-AreaInfoList-r9 ::=    SEQUENCE (SIZE(1..maxMBSFN-Area)) OF MBSFN-AreaInfo-r9
MBSFN-AreaInfo-r9 ::=        SEQUENCE {
mbsfn-AreaId-r9              MBSFN-AreaId-r12,
non-MBSFNregionLength        ENUMERATED {s1, s2},
notificationIndicator-r9     INTEGER (0..7),
mcch-Config-r9               SEQUENCE {
mcch-RepetitionPeriod-r9     ENUMERATED {rf32, rf64, rf128, rf256},
mcch-Offset-r9               INTEGER (0..10),
mcch-ModificationPeriod-r9   ENUMERATED {rf512, rf1024},
sf-AllocInfo-r9              BIT STRING (SIZE(6)),
signallingMCS-r9             ENUMERATED {n2, n7, n13, n19}
},
...
}
-- ASN1STOP
【００１４】
ＭＣＣＨ変更通知のＤＣＩ  １Ｃは、３ＧＰＰ  ＴＳ  ３６．２１２で次のように定義されている：
「あるいは、フォーマット１ＣがＭＣＣＨ変更の通知に使用される場合は、
−  ＭＣＣＨ変更通知の情報−セクション５．８．１．３で定義されている８ビット
−  １つのＰＤＳＣＨコードワードの非常にコンパクトなスケジューリングに使用されるフォーマット１Ｃのサイズに等しくなるまで、予約情報ビットが追加される」
【００１５】
ｆｅＭＢＭＳキャリアでは、ｅＭＢＭＳサブフレームが１００％割り当てられていても、少なくともＰＳＳ／ＳＳＳとＣＲＳが送信されるサブフレームがいくつかある。これらのサブフレームのＰＤＣＣＨ領域で任意のＤＣＩ形式をＵＥに送信でき、これらのサブフレームのＰＤＳＣＨを使用して、システム情報（ＳＩ）またはユニキャスト情報を搬送できる。
【００１６】
ＲＡＮ１は、ＭＣＣＨの変更を示すために使用される現在のＤＣＩフォーマット１−Ｃを拡張して、ＳＩの変更も示すことに同意している。対応する変更はＴＳ  ３６．２１２［Ｒ１−１６１３８１３］に同意され、ＴＳ  ３６．２１３  １１．２［Ｒ１−１６１３８１５］にも反映される。ただし、ＲＡＮ２は、このキャリアでＥＴＷＳとＣＭＡＳをサポートすることにも同意しており、これらに関連する通知も必要である。したがって、ＲＡＮ１は、ＥＴＷＳおよびＣＭＡＳの変更を示すためにＤＣＩフォーマット１Ｃにビットを追加できることを通知するリエゾン声明（ＬＳ）［Ｒ１−１６１３８１６］をＲＡＮ２に送付している。
【発明の概要】
【００１７】
上述の観点から、フォーマット１ＣのＤＣＩの利用可能なサイズが限られているため、ダイレクトインジケーション通知のビットがｅＭＢＭＳのより広い帯域幅へのデプロイを制限していることに注意する必要がある。サイズが｛１−２、３−４、５、６、７｝ビットのフィールドには、｛１５、２５、５０、７５、１００｝ＰＲＢのデプロイが必要である。 あるいは、ダイレクトインジケーション情報のフィールドは、より広い帯域幅に対してのみ条件付きで存在し得る。
【００１８】
ＳＩ、ＥＴＷＳ、およびＣＭＡＳのインジケーションが条件付きであるか必須であるかに関係なく、これらの３ビットをすべて追加すると、デプロイが２５ＰＲＢ以上に制限されるようである。
【００１９】
目的は、ＥＴＷＳおよび／またはＣＭＡＳの使用に関する柔軟性を向上させることであり得る。
【００２０】
一態様によれば、目的は、ユーザ装置によって実行される方法によって達成される。ユーザ装置は、マルチメディアブロードキャストマルチキャストサービス用に設定されたキャリアで動作する。ユーザ装置は、キャリアの物理ダウンリンク制御チャネルで、マルチキャストネットワーク識別子を使用したダウンリンク制御情報を受信する。ダウンリンク制御情報は、少なくとも２つの緊急通知がキャリアでブロードキャストされているか否かを示すビットと、キャリアのマルチキャストチャネルの変更に関連する通知と、を含む。さらに、ユーザ装置は、ビットが１に設定されている場合、ユーザ装置のページングメッセージで、少なくとも２つの緊急通知のインジケーションに関連する少なくとも２つのフィールドが１に設定されているかのように振舞う。
【００２１】
別の態様によれば、目的は、マルチメディアブロードキャストマルチキャストサービス用に構成されたキャリア上で動作するように構成されたユーザ装置によって達成される。ユーザ装置は、キャリアの物理ダウンリンク制御チャネルで、マルチキャストネットワーク識別子を使用したダウンリンク制御情報を受信するように構成される。ダウンリンク制御情報は、少なくとも２つの緊急通知がキャリアでブロードキャストされているか否かを示すビットと、キャリアのマルチキャストチャネルの変更に関連する通知と、を含む。さらに、ユーザ装置は、ビットが１に設定されている場合、ユーザ装置のページングメッセージで、少なくとも２つの緊急通知のインジケーションに関連する少なくとも２つのフィールドが１に設定されているかのように振舞うように構成される。
【００２２】
さらなる態様によれば、目的は、無線ネットワークノードによって実行される方法によって達成される。無線ネットワークノードは、マルチメディアブロードキャストマルチキャストサービス用に構成されたキャリアを管理する。無線ネットワークノードは、キャリアの物理ダウンリンク制御チャネルで、マルチキャストネットワーク識別子を使用したダウンリンク制御情報を送信する。ダウンリンク制御情報は、少なくとも２つの緊急通知がキャリアでブロードキャストされているか否かを示すビットと、キャリアのマルチキャストチャネルの変更に関連する通知と、を含む。
【００２３】
さらなる態様によれば、目的は、マルチメディアブロードキャストマルチキャストサービス用に構成されたキャリアを管理するように構成された無線ネットワークノードによって達成される。無線ネットワークノードは、キャリアの物理ダウンリンク制御チャネルで、マルチキャストネットワーク識別子を使用したダウンリンク制御情報を送信するように構成される。ダウンリンク制御情報は、少なくとも２つの緊急通知がキャリアでブロードキャストされているか否かを示すビットと、キャリアのマルチキャストチャネルの変更に関連する通知と、を含む。
【００２４】
さらなる態様によれば、目的は、上述の態様に対応するコンピュータープログラムおよびコンピュータープログラムキャリアによって達成される。
【００２５】
１ビット（たとえば１ビットのみ）がＥＴＷＳおよび／またはＣＭＡＳの変更を示すため、ＤＣＩフォーマット１−Ｃの帯域幅制限に違反することはなく、たとえば、任意の帯域幅が使用され得る。ＤＣＩフォーマット１−Ｃの帯域幅制限は１５個の物理リソースブロック（ＰＲＢ）であり、より多くのビットが使用される場合、帯域幅制限は２５個のＰＲＢ以上になる。ＤＣＩフォーマット１−Ｃの帯域幅制限により、１ビットでＳＩの変更を示し、別の１ビットでＥＴＷＳまたはＣＭＡＳの変更（つまりＥＴＷＳとＣＭＡＳの両方に共通のビット）を示すことが考えられる。ユーザ装置の方法は、ＵＥがＳＩ変更通知のためにこの１ビットを受信した場合、systemInfoModificationを含むページングメッセージを受信したかのように動作し、例えば現在のＳＩメッセージの周期性を適用する。ＥＴＷＳ／ＣＭＡＳの共通ビットが１に設定されている場合、ＵＥはＥＴＷＳ通知およびＣＭＡＳ通知の両方を含むページングメッセージを受信したかのように動作し、schedulingInfoListに従ってＥＴＷＳ通知およびＣＭＡＳ通知の受信を開始する。
【００２６】
利点は、ＳＩ変更通知とＥＴＷＳ通知およびＣＭＡＳ通知の両方をサポートする１５ＰＲＢの帯域幅をデプロイできることである。個別のビットでは、帯域幅制限は２５個のＰＲＢになり、つまり、２５個以上のＰＲＢが必要になる。
以下の詳細な説明で説明するように、ＳＩ変更通知とＥＴＷＳ／ＣＭＡＳ通知の異なる処理が予想されるため、提案されたビットの組み合わせは有益である。
【図面の簡単な説明】
【００２７】
特定の特徴および利点を含む、本明細書に開示される実施形態の様々な態様は、以下の詳細な説明および添付の図面から容易に理解されるであろう。
【００２８】
【図１】本明細書の実施形態を実施し得る例示的なシステムの概略図である。
【図２】本明細書の方法を示すシグナリングとフローチャートの組み合わせである。
【図３】ユーザ装置における方法の実施形態を示すフローチャートである。
【図４】ユーザ装置の実施形態を示すブロック図である。
【図５】無線ネットワークノードにおける方法の実施形態を示すフローチャートである。
【図６】無線ネットワークノードの実施形態を示すブロック図である。
【発明を実施するための形態】
【００２９】
以下の説明を通して、適用可能な場合、ノード、動作、モジュール、回路、部品、アイテム、要素、ユニットなどの類似の機能を示すために類似の参照番号が使用されている。図では、いくつかの実施形態に現れる特徴は破線で示されている。
【００３０】
図１は、本明細書の実施形態を実施し得る例示的な無線通信システム１００を示している。この例では、システム１００はＬＴＥシステム、またはその進化型などである。一例として、システム１００は、３ＧＰＰによるリリース１４に基づき得る。
他の例では、システム１００は、グローバル移動通信システム（ＧＳＭ）、ユニバーサル移動通信システム（ＵＭＴＳ）、およびＤ２Ｄ通信のようなレイヤを可能にするマイクロ波アクセスのための世界的相互運用性（ＷｉＭＡＸ）などの任意のセルラーまたは無線通信システムであり得る。
無線通信システム１００は、例えば、ロングタームエボリューション（ＬＴＥ）（例えば、ＬＴＥ周波数分割複信（ＦＤＤ）、ＬＴＥ時分割複信（ＴＤＤ）、ＬＴＥ半二重周波数分割複信（ＨＤ−ＦＤＤ）、アンライセンスバンドで動作するＬＴＥ）、または、広帯域符号分割多元接続（ＷＣＤＭＡ）、ユニバーサル地上無線アクセス（ＵＴＲＡ）ＴＤＤ、ウルトラモバイルブロードバンド（ＵＭＢ）、ＧＳＭネットワーク、ＧＳＭ／ＧＳＭ進化のための拡張データレート（ＥＤＧＥ）無線アクセスネットワーク（ＧＥＲＡＮ）ネットワーク、ＥＤＧＥネットワーク、無線アクセス技術（ＲＡＴ）の任意の組み合わせで構成されるネットワーク（例えば、マルチスタンダード無線（ＭＳＲ）基地局、マルチＲＡＴ基地局など）、３ＧＰＰセルラーネットワーク、ＷｉＦｉネットワーク、マイクロ波アクセスのための世界的相互運用性（ＷｉＭａｘ）、５Ｇシステムまたは任意のセルラーネットワークまたはシステムなどのネットワークであり得る。
【００３１】
システム１００は、ユーザ装置１１０を含むと言うことができる。これは、ユーザ装置１１０がシステム１００内に存在することを意味する。
【００３２】
さらに、無線ネットワークノード１２０が図１に示されている。システム１００は、無線ネットワークノード１２０を含み得る。ユーザ装置１１０は、無線ネットワークノード１２０に関していわゆるアイドルモードまたは接続モードであり得る。
【００３３】
無線ネットワークノード１２０は、例えば周波数間隔に対応するキャリア上で、ユーザ装置１１０と通信１３０し得る。この通信には、ユーザ送信および／または制御送信が含まれる。ユーザ送信は、ユーザデータ、ペイロードデータ、コンテンツデータなどを含み得る。制御送信は、例えば、スケジューリング、認証、モビリティ、送信電力などに関する制御情報を含み得る。ユーザ送信は、第１の無線デバイスがセルラーモードの場合にのみ関連する。通信は、アップリンク送信および／またはダウンリンク送信を含み得る。送信は、データブロックと呼ばれ得る。
【００３４】
本明細書で使用する用語「無線ネットワークノード」は、基地局システム（ＢＳＳ）、無線ネットワークコントローラ（ＲＮＣ）、無線基地局（ＲＢＳ）、進化型ノードＢ（ｅＮＢ）、１つまたは複数のリモート無線ユニット（ＲＲＵ）を制御する制御ノード、アクセスポイントなどを示し得る。
本明細書で使用する用語「ユーザ装置」は、無線通信デバイス、マシンツーマシン（Ｍ２Ｍ）デバイス、携帯電話、セルラー電話、無線通信機能を備えた携帯情報端末（ＰＤＡ）、スマートフォン、内蔵または外付けのモバイルブロードバンドモデムを搭載したラップトップまたはパーソナルコンピューター（ＰＣ）、無線通信機能を備えたタブレットＰＣ、ポータブル電子無線通信デバイス、無線通信機能を搭載したセンサーデバイスなどを示し得る。 センサーデバイスは、風、温度、気圧、湿度、光、電気、音、画像など、任意の種類のメトリックを検出し得る。用語「ユーザー」は、ユーザ装置を間接的に示し得る。たまに、用語「ユーザ」は、上述のユーザ装置などを示すために使用され得る。ユーザが必ずしも人間のユーザを含むとは限らないことを理解されたい。用語「ユーザ」は、特定の機能、方法などを使用するマシン、ソフトウェアコンポーネントなどを指し得る。
【００３５】
図２は、図１の無線通信システム１００で実施される場合の本明細書の実施形態による例示的な方法を示している。
ユーザ装置１１０は、ＭＢＭＳ、ｅＭＢＭＳ、ＦｅＭＢＭＳなどのマルチメディアブロードキャストマルチキャストサービス用に構成されたキャリア上で動作する。したがって、無線ネットワークノード１２０は、マルチメディアブロードキャストマルチキャストサービス用に構成されたキャリアを管理する。
以下の動作の１つまたは複数は、任意の適切な順序で実行され得る。
【００３６】
動作Ａ０１０
緊急通知を見つけようとするかどうかをユーザ装置１１０に知らせるために、無線ネットワークノード１２０は、キャリアの物理ダウンリンク制御チャネルで、マルチキャストネットワーク識別子を使用してダウンリンク制御情報を送信する。ダウンリンク制御情報は、少なくとも２つの緊急通知がキャリアでブロードキャストされているか否かを示すビットと、キャリアのマルチキャストチャネルの変更に関連する通知と、を含む。当該少なくとも２つの緊急通知は、ＥＴＷＳ通知およびＣＭＡＳ通知を含み得る。
それにより、無線ネットワークノード１２０は、ビットが１に設定されると、あたかも少なくとも２つの緊急通知のインジケーションに関連する少なくとも２つのフィールドがユーザ装置１１０に対するページングメッセージにおいて１に設定されたかのように振舞うようにユーザ装置１１０に指示する。
ダウンリンク制御情報は、キャリアのシステム情報の変更がキャリア上でブロードキャストされるか否かを示すさらなるビットを含み得る。
これにより、無線ネットワークノード１２０は、さらなるビットが１に設定されると、あたかもシステム情報の変更に関するフィールドがページングメッセージに設定されるかのように動作するようにユーザ装置１１０に指示する。
さらなるビットは、ダウンリンク制御情報の最下位ビットであり得、当該ビットはダウンリンク制御情報の第２ビットであるが最下位ビットであり得る。表現「第２ビットであるが最下位ビット」は、当該ビットが最下位ビットから（例えば右から）順番に取られた第２ビットであることを指し得る。
いくつかの例では、例えば、無線ネットワークノード１２０がクラウドシステムなどで実施される場合、無線ネットワークノード１２０はダウンリンク制御情報の送信を開始する。
【００３７】
動作Ａ０２０
動作Ａ０１０１に続いて、ユーザ装置１１０は、キャリアの物理ダウンリンク制御チャネル上で、Ｍ−ＲＮＴＩなどのマルチキャストネットワーク識別子を使用してダウンリンク制御情報を受信する。ＤＣＩなどのダウンリンク制御情報は、少なくとも２つの緊急通知がキャリアでブロードキャストされているか否かを示すビットと、キャリアのマルチキャストチャネルの変更に関する通知と、を含む。
物理ダウンリンク制御チャネルは、ＰＤＣＣＨなどであり得る。
前述のように、少なくとも２つの緊急通知は、ＥＴＷＳ通知とＣＭＡＳ通知を含み得る。ダウンリンク制御情報は、キャリアのシステム情報の変更がキャリア上でブロードキャストされるか否かを示すさらなるビットを含み得る。さらなるビットは、ダウンリンク制御情報の最下位ビットであり得、ビットは、ダウンリンク制御情報の第２ビットであるが最下位ビットであり得る。
【００３８】
動作Ａ０３０
ユーザ装置１１０は、ビットが１に設定されると、少なくとも２つの緊急通知のインジケーションに関連する少なくとも２つのフィールドが、ユーザ装置１１０のページングメッセージにおいて１に設定されているかのように振舞う。
振舞うことＡ０３０は、キャリア内で、少なくとも２つの緊急通知を検索することを含み得る。
ページングメッセージは、キャリアのＰＤＳＣＨ上のリソースに関連付けられ得、そのリソースは、キャリアのＰＤＣＣＨ上のＰ−ＲＮＴＩで符号化されたＤＣＩによって示される。
【００３９】
動作Ａ０４０
ユーザ装置１１０は、さらなるビットが１に設定されると、システム情報の変更に関連するフィールドがページングメッセージに設定されているかのように動作し得る。
動作Ａ０４０は、システム情報の変更に関する情報を含むメッセージをキャリア内で検索することを含み得る。
【００４０】
ＥＴＷＳおよびＣＭＡＳのシステム情報の変更は、専用ｆｅＭＢＭＳキャリアでサポートされる他のＳＩとは異なる方法で処理される。ＴＳ３６．３３１セクション５．２．１．３では、次のように記述されている：
【００４１】
「システム情報の変更（ＥＴＷＳ、ＣＭＡＳ、ＥＡＢのパラメータ以外、およびＮＢ−ＩｏＴのＡＢパラメータ以外）は、特定の無線フレームでのみ発生し、つまり、変更期間の概念が使用される。」
【００４２】
これは、ＥＴＷＳとＣＭＡＳの両方がＳＩ変更境界に関係なくいつでも変更でき、ＭＢＭＳキャリア上の他のＳＩは次の変更境界でのみ変更できることを意味する。さらに、ＥＴＷＳまたはＣＭＡＳを取得する手順は、それぞれＴＳ３６．３３１のセクション５．２．１．４および５．２．１．５で説明されている手順と同様である。ＵＥがＥＴＷＳまたはＣＭＡＳのインジケーションを示すページングメッセージを受信するか、ダイレクトインジケーション情報（セクション６．６を参照）の対応するビットが１に設定されると、ＵＥは、SchedulingInfoListに従ってＥＴＷＳ通知またはＣＭＡＳ通知の受信を開始する。
【００４３】
ＤＣＩフォーマット１−Ｃの帯域幅制限、および、ＳＩとＥＴＷＳ通知およびＣＭＡＳ通知の異なる処理のため、１ビットはＳＩの変更を示し、ＥＴＷＳまたはＣＭＡＳ通知は共通のビットでシグナリングされる必要がある。
【００４４】
ＵＥ手順は、ＵＥがＳＩ変更通知用のこの１ビットを受信すると、systemInfoModificationを含むページングメッセージを受信したかのように動作する（現在のＳＩメッセージの周期性を適用する）。ＥＴＷＳ／ＣＭＡＳの共通ビットが１に設定されている場合、ＵＥはＥＴＷＳ通知およびＣＭＡＳ通知の両方を含むページングメッセージを受信したかのように動作し、schedulingInfoListに従ってＥＴＷＳ通知およびＣＭＡＳ通知の受信を開始する。つまり、ＵＥは、ＳＩＢ１０，ＳＩＢ１１、およびＳＩＢ１２ＳＩＢをすべてチェックする。したがって、１５ＰＲＢを超える帯域幅がＥＴＷＳとＣＭＡＳの個別のビットに対応できる場合でも、単一の通知フォーマットとＵＥ手順を指定することが推奨される。
【００４５】
ＳＩ通知およびＥＴＷＳ／ＣＭＡＳのビットは、ＴＳ３６．３１２で指定されているＤＣＩフォーマット１Ｃに条件付きまたは必須で存在し得る。
【００４６】
ダイレクトインジケーション情報に関連する例として、ダイレクトインジケーション情報は、Ｐ−ＲＮＴＩを使用してＭＰＤＣＣＨで送信されるが、ページングメッセージは関連付けられていない。表６．６−１は、ダイレクトインジケーション情報を定義しており、ＴＳ３６．２１２［２２、５．３．３．１．１４］を参照されたい。
ビットｎが１に設定されている場合、ＵＥは、対応するフィールドがページングメッセージで設定されているかのように動作し、５．３．２．３を参照されたい。ビット１は最下位ビットである。
【００４７】
【表３】
2020509638.tif 000005
【００４８】
ダイレクトインジケーションｆｅＭＢＭＳの例：
専用のＭＢＭＳキャリアでは、ダイレクトインジケーションｆｅＭＢＭＳがＭ−ＲＮＴＩを使用して、８ビットのＭＣＣＨ変更通知とともにＰＤＣＣＨで送信され、ＴＳ３６．２１２［２２、５．３．３．１．４］を参照されたい。表６．６ｘ−１は、ダイレクトインジケーションｆｅＭＢＭＳを定義している。
第１のビットが１に設定されている場合、ＵＥはページングメッセージでsystemInfoModificationフィールドが設定されているかのように振舞い、第２のビットが１に設定されている場合、ＵＥはページングメッセージでetws-Indicationとcmas-Indicationの両方が設定されているかのように振舞い、５．３．２．３を参照されたい。ビット１は最下位ビットである。
【００４９】
【表４】
2020509638.tif 000006
【００５０】
図３では、ユーザ装置１１０における例示的な方法の概略フローチャートが示されている。繰り返しになるが、同じまたは類似の特徴を示すために上記と同じ参照番号が使用されており、特に、同じまたは類似の動作を示すために同じ参照番号が使用されている。ユーザ装置１１０は、ＭＢＭＳ、ｅＭＢＭＳ、ｆｅＭＢＭＳなどのマルチメディアブロードキャストマルチキャストサービス用に構成されたキャリア上で動作する。
以下の動作の１つまたは複数は、任意の適切な順序で実行され得る。
【００５１】
動作Ａ０２０
ユーザ装置１１０は、キャリアの物理ダウンリンク制御チャネル上で、Ｍ−ＲＮＴＩなどのマルチキャストネットワーク識別子を使用してダウンリンク制御情報を受信する。ＤＣＩなどのダウンリンク制御情報は、少なくとも２つの緊急通知がキャリアでブロードキャストされているか否かを示すビットと、キャリアのマルチキャストチャネルの変更に関する通知と、を含む。
物理ダウンリンク制御チャネルは、ＰＤＣＣＨなどであり得る。
前述のように、少なくとも２つの緊急通知は、ＥＴＷＳ通知とＣＭＡＳ通知を含み得る。ダウンリンク制御情報は、キャリアのシステム情報の変更がキャリア上でブロードキャストされるか否かを示すさらなるビットを含み得る。さらなるビットは、ダウンリンク制御情報の最下位ビットであり得、ビットは、ダウンリンク制御情報の第２ビットであるが最下位ビットであり得る。
【００５２】
動作Ａ０３０
ユーザ装置１１０は、ビットが１に設定されると、少なくとも２つの緊急通知のインジケーションに関連する少なくとも２つのフィールドが、ユーザ装置１１０のページングメッセージにおいて１に設定されているかのように振舞う。
振舞うことＡ０３０は、キャリア内で、少なくとも２つの緊急通知を検索することを含み得る。
ページングメッセージは、キャリアのＰＤＳＣＨ上のリソースに関連付けられ得、そのリソースは、キャリアのＰＤＣＣＨ上のＰ−ＲＮＴＩで符号化されたＤＣＩによって示される。
【００５３】
動作Ａ０４０
ユーザ装置１１０は、さらなるビットが１に設定されると、システム情報の変更に関連するフィールドがページングメッセージに設定されているかのように動作し得る。
動作Ａ０４０は、システム情報の変更に関する情報を含むメッセージをキャリア内で検索することを含み得る。
【００５４】
図４を参照すると、図１のユーザ装置１１０の実施形態の概略ブロック図が示されている。
【００５５】
ユーザ装置１１０は、本明細書で説明される方法を実行するための手段などの処理モジュール４０１を含み得る。手段は、１つまたは複数のハードウェアモジュールおよび／または１つまたは複数のソフトウェアモジュールの形で具現化され得る。
ユーザ装置１１０は、メモリ４０２をさらに含み得る。メモリは、命令（例えばコンピュータプログラム４０３の形態）を含み（含む又は格納するなど）得、例えばコンピュータ可読コードユニットを含み得る。
【００５６】
本明細書のいくつかの実施形態によれば、ユーザ装置１１０および／または処理モジュール４０１は、例示的なハードウェアモジュールとして処理回路４０４を含み、これは１つまたは複数のプロセッサを含み得る。したがって、処理モジュール４０１は、処理回路４０４の形態で（または処理回路４０４により「実現される」ように）具現化され得る。命令は、処理回路４０４によって実行可能であり得、それにより、ユーザ装置１１０は、図２および／または図３の方法を実行するように動作可能である。別の例として、命令は、ユーザ装置１１０および／または処理回路４０４によって実行されると、ユーザ装置１１０に図２および／または図３による方法を実行させ得る。
上述の観点から、一例では、マルチメディアブロードキャストマルチキャストサービス用に構成されたキャリア上で動作するユーザ装置１１０が提供される。また、メモリ４０２は、処理回路４０４により実行可能な命令を含み、それにより、ユーザ装置１１０は以下に対して動作する：
前記キャリアの物理ダウンリンク制御チャネルで、マルチキャストネットワーク識別子を使用したダウンリンク制御情報を受信し、該ダウンリンク制御情報は、少なくとも２つの緊急通知が前記キャリアでブロードキャストされているか否かを示すビットと、前記キャリアのマルチキャストチャネルの変更に関連する通知と、を含み、
前記ビットが１に設定されている場合、前記ユーザ装置１１０のページングメッセージで、前記少なくとも２つの緊急通知のインジケーションに関連する少なくとも２つのフィールドが１に設定されているかのように振舞う。
【００５７】
図４は、キャリア４０５、またはプログラムキャリアをさらに示しており、これは、上で直接説明したようなコンピュータプログラム４０３を含む。
【００５８】
いくつかの実施形態では、ユーザ装置１１０および／または処理モジュール４０１は、回路などの例示的なハードウェアモジュールとして、受信モジュール４１０、振舞モジュール４２０、および動作モジュール４３０のうちの１つまたは複数を含み得る。他の例では、前述の例示的なハードウェアモジュールの１つまたは複数は、１つまたは複数のソフトウェアモジュールとして実装され得る。
【００５９】
さらに、処理モジュール４０１は、適用可能な場合、受信モジュールおよび／または送信モジュールによって例示され得る入力／出力ユニット４０６を含む。
【００６０】
したがって、ユーザ装置１１０は、マルチメディアブロードキャストマルチキャストサービス用に構成されたキャリア上で動作するように構成される。
したがって、上述の様々な実施形態によれば、ユーザ装置１１０および／または処理モジュール４０１および／または受信モジュール４１０は、キャリアの物理ダウンリンク制御チャネルで、マルチキャストネットワーク識別子を使用してダウンリンク制御情報を受信するように構成される。ダウンリンク制御情報は、少なくとも２つの緊急通知がキャリアでブロードキャストされているか否かを示すビットと、キャリアのマルチキャストチャネルの変更に関連する通知と、を含む。
ユーザ装置１１０および／または処理モジュール４０１および／または振舞モジュール４２０は、ビットが１に設定されると、あたかも少なくとも２つの緊急通知のインジケーションに関する少なくとも２つのフィールドがユーザ装置１１０のページングメッセージにおいて１に設定されたかのように振舞うように構成される。
【００６１】
前述のように、少なくとも２つの緊急通知は、ＥＴＷＳ通知とＣＭＡＳ通知を含み得る。ダウンリンク制御情報は、キャリアのシステム情報の変更がキャリア上でブロードキャストされるか否かを示すさらなるビットを含み得る。さらなるビットは、ダウンリンク制御情報の最下位ビットであり得、ビットは、ダウンリンク制御情報の第２ビットであるが最下位ビットであり得る。
【００６２】
ユーザ装置１１０および／または処理モジュール４０１および／または動作モジュール４３０は、さらなるビットが１に設定されると、あたかもシステム情報の変更に関するフィールドがページングメッセージおいて設定されるかのように動作するように構成され得る。
ユーザ装置１１０および／または処理モジュール４０１および／または動作モジュール４３０は、システム情報の変更に関する情報を含むメッセージをキャリア内で検索することによって、あたかもシステム情報の変更に関するフィールドがページングメッセージに設定されているかのように動作するように構成され得る。 
ユーザ装置１１０および／または処理モジュール４０１および／または振舞モジュール４２０は、少なくとも２つの緊急通知をキャリア内で検索することによって、少なくとも２つの緊急通知のインジケーションに関係する少なくとも２つのフィールドが、あたかもページングメッセージにおいて１に設定されているかのように振舞うように構成され得る。
【００６３】
図５には、無線ネットワークノード１２０における例示的な方法の概略フローチャートが示されている。繰り返しになるが、同じまたは類似の特徴を示すために上記と同じ参照番号が使用されており、特に、同じまたは類似の動作を示すために同じ参照番号が使用されている。
無線ネットワークノード１２０は、マルチメディアブロードキャストマルチキャストサービス用に構成されたキャリアを管理する。
【００６４】
以下の動作が実行され得る。
【００６５】
動作Ａ０１０
無線ネットワークノード１２０は、キャリアの物理ダウンリンク制御チャネル上で、マルチキャストネットワーク識別子を使用してダウンリンク制御情報を送信する。ダウンリンク制御情報は、少なくとも２つの緊急通知がキャリアでブロードキャストされているか否かを示すビットと、キャリアのマルチキャストチャネルの変更に関連する通知と、を含む。当該少なくとも２つの緊急通知は、ＥＴＷＳ通知およびＣＭＡＳ通知を含み得る。
それにより、無線ネットワークノード１２０は、ビットが１に設定されると、あたかも当該少なくとも２つの緊急通知のインジケーションに関連する少なくとも２つのフィールドがユーザ装置１１０に対するページングメッセージで１に設定されているかのように振舞うようにユーザ装置１１０に指示する。
ダウンリンク制御情報は、キャリアのシステム情報の変更がキャリア上でブロードキャストされるか否かを示すさらなるビットを含み得る。
これにより、無線ネットワークノード１２０は、さらなるビットが１に設定されると、あたかもシステム情報の変更に関するフィールドがページングメッセージに設定されるかのように動作するようにユーザ装置１１０に指示する。
さらなるビットは、ダウンリンク制御情報の最下位ビットであり得、ビットは、ダウンリンク制御情報の第２であるが最下位ビットであり得る。
【００６６】
図６を参照すると、図１の無線ネットワークノード１２０の実施形態の概略ブロック図が示されている。
【００６７】
無線ネットワークノード１２０は、本明細書で説明される方法を実行するための手段などの処理モジュール６０１を含み得る。手段は、１つまたは複数のハードウェアモジュールおよび／または１つまたは複数のソフトウェアモジュールの形で具現化され得る。
無線ネットワークノード１２０は、メモリ６０２をさらに含み得る。メモリは、命令（例えばコンピュータプログラム６０３の形態）を含み（含む又は格納するなど）得、例えばコンピュータ可読コードユニットを含み得る。
【００６８】
本明細書のいくつかの実施形態によれば、無線ネットワークノード１２０および／または処理モジュール６０１は、例示的なハードウェアモジュールとして処理回路６０４を含む。したがって、処理モジュール６０１は、処理回路６０４の形態で具現化され（または「実現され」）得る。命令は、処理回路６０４によって実行可能であり得、それにより、無線ネットワークノード１２０は、図２および／または図５の方法を実行するように動作可能である。別の例として、命令は、無線ネットワークノード１２０および／または処理回路６０４によって実行されると、無線ネットワークノード１２０に図２および／または図５による方法を実行させ得る。
上記の観点から、一例では、マルチメディアブロードキャストマルチキャストサービス用に構成されたキャリアを管理する無線ネットワークノード１２０が提供される。また、メモリ６０２は、処理回路６０４により実行可能な命令を含み、それにより、無線ネットワークノード１２０は以下に対して動作する：
前記キャリアの物理ダウンリンク制御チャネルで、マルチキャストネットワーク識別子を使用したダウンリンク制御情報を送信し、該ダウンリンク制御情報は、少なくとも２つの緊急通知が前記キャリアでブロードキャストされているか否かを示すビットと、前記キャリアのマルチキャストチャネルの変更に関連する通知と、を含む。
【００６９】
図６は、キャリア６０５、またはプログラムキャリアをさらに示しており、これは、上で直接説明したようなコンピュータプログラム６０３を含む。
【００７０】
いくつかの実施形態では、処理モジュール６０１は、適用可能な場合、受信モジュールおよび／または送信モジュールによって例示され得る入力／出力ユニット６０６を含む。
【００７１】
さらなる実施形態では、無線ネットワークノード１２０および／または処理モジュール６０１は、回路などの例示的なハードウェアモジュールとして、送信モジュール６１０、受信モジュール６２０、および制御モジュール６３０のうちの１つまたは複数を含み得る。他の例では、前述の例示的なハードウェアモジュールの１つまたは複数は、１つまたは複数のソフトウェアモジュールとして実装され得る。
【００７２】
したがって、無線ネットワークノード１２０は、マルチメディアブロードキャストマルチキャストサービス用に構成されたキャリアを管理するように構成される。
したがって、上記の様々な実施形態によれば、無線ネットワークノード１２０および／または処理モジュール６０１および／または送信モジュール６１０は、キャリアの物理ダウンリンク制御チャネルで、マルチキャストネットワーク識別子を使用してダウンリンク制御情報を送信するように構成される。ダウンリンク制御情報は、少なくとも２つの緊急通知がキャリアでブロードキャストされているか否かを示すビットと、キャリアのマルチキャストチャネルの変更に関連する通知と、を含む。
前述のように、少なくとも２つの緊急通知は、ＥＴＷＳ通知とＣＭＡＳ通知を含み得る。ダウンリンク制御情報は、キャリアのシステム情報の変更がキャリア上でブロードキャストされるか否かを示すさらなるビットを含み得る。さらなるビットは、ダウンリンク制御情報の最下位ビットであり得、ビットは、ダウンリンク制御情報の第２であるが最下位ビットであり得る。
【００７３】
本明細書で使用する用語「ノード」または「ネットワークノード」は、デバイス、装置、コンピュータ、サーバなどの１つまたは複数の物理エンティティを示し得る。これは、本明細書の実施形態が１つの物理的エンティティに実装され得ることを意味し得る。あるいは、本明細書の実施形態は、１つまたは複数の物理エンティティを含む構成などの複数の物理エンティティで実装することができ、すなわち、実施形態は、クラウドシステムのサーバマシンのセットなどで分散方式で実装することができる。
本明細書で使用される用語「モジュール」は、１つまたは複数の機能モジュールを指し得、それらの各々は、ノード内の、１つまたは複数のハードウェアモジュールおよび／または１つまたは複数のソフトウェアモジュールおよび／または組み合わされたソフトウェア／ハードウェアモジュールとして実装され得る。いくつかの例では、モジュールは、ノードのソフトウェアおよび／またはハードウェアとして実現される機能ユニットを表し得る。
本明細書で使用される用語「コンピュータプログラムキャリア」、「プログラムキャリア」、または「キャリア」は、電子信号、光信号、無線信号、およびコンピュータ可読媒体の１つを示し得る。いくつかの例では、コンピュータプログラムキャリアは、電気信号、光学信号、および／または無線信号などの一時的な伝播信号を除外し得る。したがって、これらの例では、コンピュータプログラムキャリアは、非一時的コンピュータ可読媒体などの非一時的キャリアであり得る。
本明細書で使用される用語「処理モジュール」は、１つまたは複数のハードウェアモジュール、１つまたは複数のソフトウェアモジュール、またはそれらの組み合わせを含み得る。任意のそのようなモジュール（ハードウェア、ソフトウェア、またはハードウェアとソフトウェアの組み合わせモジュールであっても）は、本明細書に開示されている、決定手段、推定手段、捕捉手段、関連付け手段、比較手段、識別手段、選択手段、受信手段、送信手段などであり得る。一例として、表現「手段（means）」は、図に関連して上記にリストされたモジュールに対応するモジュールであり得る。
本明細書で使用される用語「ソフトウェアモジュール」は、ソフトウェアアプリケーション、ダイナミックリンクライブラリ（ＤＬＬ）、ソフトウェアコンポーネント、ソフトウェアオブジェクト、コンポーネントオブジェクトモデル（ＣＯＭ）によるオブジェクト、ソフトウェアコンポーネント、ソフトウェアファンクション、ソフトウェアエンジン、実行可能なバイナリソフトウェアファイルなどを指し得る。
用語「処理モジュール」または「処理回路」は、本明細書では、例えば、１つまたは複数のプロセッサ、特定用途向け集積回路（ＡＳＩＣ）、フィールドプログラマブルゲートアレイ（ＦＰＧＡ）などを含む処理ユニットを包含し得る。処理回路などは、１つまたは複数のプロセッサカーネルを含み得る。
本明細書で使用される表現「に構成された（configured to/for）」は、処理回路が、ソフトウェア構成および／またはハードウェア構成によって、本明細書に記載された１つまたは複数の動作を実行するように構成（適合または動作）されることを意味し得る。
本明細書で使用される「動作（action）」という用語は、動作、ステップ、操作、応答、反応、活動などを指し得る。本明細書での動作は、必要に応じて２つ以上のサブアクションに分割され得ることに留意するべきである。さらに、該当する場合、本明細書に記載されている２つ以上の動作は１つの動作にマージされ得ることにも留意するべきである。
本明細書で使用される用語「メモリ」は、ハードディスク、磁気記憶媒体、ポータブルコンピュータのディスケットまたはディスク、フラッシュメモリ、ランダムアクセスメモリ（ＲＡＭ）などを指し得る。さらに、用語「メモリ」は、プロセッサの内部レジスタメモリなどを指し得る。
本明細書で使用される用語「コンピュータ可読媒体」は、ユニバーサルシリアルバス（ＵＳＢ）メモリ、ＤＶＤディスク、Ｂｌｕ−ｒａｙディスク、データストリームとして受信されるソフトウェアモジュール、フラッシュメモリ、ハードドライブ、メモリカード（メモリースティック、マルチメディアカード（ＭＭＣ）、セキュアデジタル（ＳＤ）カードなど）であり得る。コンピュータ可読媒体の前述の例の１つまたは複数は、１つまたは複数のコンピュータプログラム製品として提供され得る。
本明細書で使用される用語「コンピュータ可読コードユニット」は、コンピュータプログラムのテキスト、コンパイルされた形式のコンピュータプログラム、あるいはその間の何かを表すバイナリファイルの一部または全体であり得る。
本明細書で使用される表現「送信（transmit）」および「送信（send）」は、交換可能であると見なされる。これらの表現は、ブロードキャスト、ユニキャスト、グループキャストなどによる送信を含む。これに関連して、ブロードキャストによる送信は、範囲内の許可されたデバイスによって受信され復号される。ユニキャストの場合、特定のアドレス指定されたデバイスが送信を受信して復号し得る。グループキャストの場合、特定のアドレス指定されたデバイスのグループが送信を受信して復号し得る。
本明細書で使用される場合、用語「数（number）」および／または「値（value）」は、二値、実数、虚数、または有理数などの任意の種類の数字であり得る。さらに、「数」および／または「値」は、文字または文字列などの１つまたは複数の文字であり得る。 「数」および／または「値」は、ビット列（つまり０および／または１）で表され得る。
本明細書で使用される場合、「のセット（set of）」という用語は、１または複数の何かを指し得る。例えば、本明細書の実施形態に従って、デバイスのセットは１つまたは複数のデバイスを指し、パラメータのセットは１つまたは複数のパラメータなどを指し得る。
本明細書で使用する表現「いくつかの実施形態では」は、記載された実施形態の特徴が本明細書で開示した任意の他の実施形態と組み合わせられ得ることを示すために使用される。
さらに、本明細書で使用される場合、ラテン語のフレーズ「exempli gratia」に由来する一般的な略語「e.g.」は、前述の項目の一般的な例を導入または指定するために使用され、そのような項目を限定することを意図しない。本明細書で使用される場合、ラテン語のフレーズ「id est」に由来する一般的な略語「i.e.」は、より一般的な記述から特定の項目を指定するために使用される。「その他（other things）」または「など（and so on）」を意味するラテン語のフレーズ「et cetera」に由来する一般的な略語「etc.」は、列挙されただけのものに類似する更なる特徴が存在することを示すために本明細書で使用され得る。
【００７４】
様々な態様の実施形態が説明されたが、多くの異なる変更、修正などが当業者には明らかになるであろう。したがって、記載された実施形態は、本開示の範囲を限定することを意図するものでは無い。
【図１】
2020509638.tif 000007
【図２】
2020509638.tif 000008
【図３】
2020509638.tif 000009
【図４】
2020509638.tif 000010
【図５】
2020509638.tif 000011
【図６】
2020509638.tif 000012
【国際調査報告】
2020509638.tif 000013
2020509638.tif 000014